(57)【特許請求の範囲】
【請求項１】
ピックアップレンズを固定支持するレンズホルダと、該レンズホルダから延びる複数の導電性ワイヤと、該複数の導電性ワイヤのそれぞれの先端部が半田付け固定される端子及び該端子に電気的に導通する中継端子を有するプリント基板と、前記複数の導電性ワイヤへの通電により当該複数の導電性ワイヤによって弾性支持される前記レンズホルダを所定の方向に駆動させる駆動部とを備えたピックアップユニットと、
前記ピックアップレンズを露出させた状態で前記ピックアップユニットを収納するホルダ部材とを有する光ピックアップ装置であって、
前記プリント基板の中継端子に半田付けされる端子の形成された第１端子部と、該第１端子部の端子に電気的に導通する端子の形成された第２端子部と、前記第１端子部と前記第２端子部との間にそれらと一体的に形成された中間部とを有する第１の可撓性プリント基板と、
該第１の可撓性プリント基板を前記ピックアップユニットにおいて固定支持する固定部材と、
外部の給電部に接続される端子の形成される第１端子部と、前記第１端子部の端子に電気的に導通する端子の形成された第２端子部とを有する第２の可撓性プリント基板と、
前記ホルダ部材に形成され、前記第１の可撓性プリント基板の第２端子部に形成された端子と前記第２の可撓性プリント基板の第２端子部に形成された端子とが接合するように前記第１の可撓性プリント基板及び前記第２の可撓性プリント基板の各第２端子部をセットする端子接合セット部とを有し、
前記第１の可撓性プリント基板及び前記第２の可撓性プリント基板の各第２端子部に形成された端子が半田付けされ、
前記ホルダ部材の前記端子接合セット部は、所定の角度をもって各縁にて接合する第１セット面と第２セット面とを有し、
前記第１の可撓性プリント基板の第２端子部の端子の形成された側の面が前記第１セット面に当接すると共に、前記第１セット面の前記第２セット面との接合縁から前方に前記端子が出るように、前記第１の可撓性プリント基板の第２端子部が前記第１セット面にセットされ、
前記第２の可撓性プリント基板の第２端子部の端子の形成されていない側の面が前記第２セット面に当接するように、前記第２の可撓性プリント基板の第２端子部が前記第２セット面にセットされ、
前記端子接合セット部は、更に、前記第１セット面の前記第２セット面との接合縁より前方に設けられ、前記接合縁から前方に出る前記第１の可撓性プリント基板の第２端子部の端子の形成されていない側の面を押える浮き上がり抑止部材を有し、
前記第１の可撓性プリント基板の第２端子部は、両側部のそれぞれに形成された係止凹部を有し、
前記第２の可撓性プリント基板の第２端子部は、その先端縁の両側部のそれぞれから突出する係止突起部を有し、
前記端子接合セット部は、前記第１セット面にセットされる前記第１の可撓性プリント基板の第２端子部の前記係止凹部が前記第１セット面と前記第２セット面との接合縁と前記浮き上がり抑止部材との間に配置されるように、前記第１の可撓性プリント基板の第２端子部の先端位置を規制する先端位置規制部材を有し、
前記第２セット面にセットされた第２の可撓性プリント基板の第２端子部の前記係止突起部が前記第１セット面にセットされた第１の可撓性プリント基板の第２端子部の前記係止凹部に嵌り込むようにしたことを特徴とする光ピックアップ装置。
【請求項２】
前記プリント基板の中継端子と前記第１の可撓性プリント基板の第１端子部に形成された端子とが略垂直に接合することを特徴とする請求項１記載の光ピックアップ装置。
【請求項３】
前記固定部材は、前記第１の可撓性プリント基板の第１端子部から続く中間部の一部を受ける受け面を有することを特徴とする請求項１または２記載の光ピックアップ装置。
【請求項４】
前記第１の可撓性プリント基板の前記第１端子部の端子の形成された面と逆側の端子非形成面及び前記中間部の前記固定部材の前記受け面との当接部分の少なくとも一部の前記第１端子部の端子非形成面から続く面に接合する板状補材を有することを特徴とする請求項３記載の光ピックアップ装置。
【請求項５】
前記第１の可撓性プリント基板は、前記中間部の前記受け面にて受けられていない所定位置から両側方に突出する２つの突出部を有し、
前記固定部材は、前記第１の可撓性プリント基板の前記中間部から突出する２つの突出部のそれぞれを係止する係止部を有することを特徴とする請求項３または４記載の光ピックアップ装置。
【請求項６】
前記係止部は、前記受け面の向く方向とは逆側に当該受け面から段差をもって前記固定部材に形成されたことを特徴とする請求項５記載の光ピックアップ装置。
【請求項７】
前記第１セット面と前記第２セット面とが略垂直に接合することを特徴とする請求項１記載の光ピックアップ装置。
【請求項８】
前記第２セット面には突起が形成され、
前記第２の可撓性プリント基板の第２端子部には係止孔が形成され、
前記第２の可撓性プリント基板の第２端子部は、前記突起が前記係止孔に嵌り込むように、前記第２セット面にセットされたことを特徴とする請求項１乃至７のいずれかに記載の光ピックアップ装置。
【請求項９】
前記第１の可撓性プリント基板の前記中間部は、前記固定部材の前記受け面にて受けられる第１中間部と、該第１中間部と前記端子接合セット部の前記第１セット面にセットされる前記第２端子部との間にあって、Ｕ字状に撓んでその弾性復帰力によって前記第２端子部をその先端が前記先端位置規制部材に当接する方向に付勢する第２中間部とを有する請求項３記載の光ピックアップ装置。
【発明の詳細な説明】
【技術分野】
【０００１】
本発明は、ＣＤ（Compact Disk）、ＤＶＤ（Digital Versatile Disk）等のディスク記録媒体に対する情報の読み出し及び／又は書き込みを行なう光ピックアップ装置に関する。
【背景技術】
【０００２】
従来、ピックアップレンズ（対物レンズ）を固定支持するレンズホルダと、該レンズホルダから延びる４本の導電性ワイヤと、該４本の導電性ワイヤのそれぞれの先端部が半田付け固定される端子及び該端子に電気的に導通する中継端子を有するプリント基板と、前記各導電性ワイヤへの通電により当該４本の導電性ワイヤによって弾性支持される前記レンズホルダを前記ピックアップレンズの光軸方向（フォーカシング方向）及びディスク記録媒体の径方向（トラッキング方向）に駆動させるアクチュエータ（２軸アクチュエータ）とを備えた光ピックアップ装置が提案されている（例えば、特許文献１参照）。このような光ピックアップ装置では、前記プリント基板の中継端子に可撓性プリント基板の端子を半田付け固定し、外部の給電部から前記可撓性プリント基板、前記プリント基板及び４本の導電性ワイヤを介して前記アクチュエータへの通電がなされる。
【特許文献１】特開２００１−２３２０１号公報
【発明の開示】
【発明が解決しようとする課題】
【０００３】
ところで、前述した従来の光ピックアップ装置では、前記導電性ワイヤの先端部をプリント基板の端子に半田付けした後に、可撓性プリント基板の端子を前記プリント基板の中継端子に半田付けしようとすると、その熱によって前記導電性ワイヤの先端部の半田付け部分が軟化してしまい、レンズホルダの傾きや位置ずれが生ずるおそれがある。そこで、可撓性プリント基板の端子を前記プリント基板の中継端子に先に半田付けし、その後に前記導電性ワイヤを前記プリント基板の端子に半田付けすれば、前述したようなレンズホルダの傾き等の問題は解決される。しかしながら、外部の給電部に接続されるべき可撓性プリント基板は比較的長くなる傾向にあり、完成前に行なうべき各種の調整やエージング等の作業の前にこのような比較的長い可撓性プリント基板をレンズホルダ及びアクチュエータと一体化してしまうと、その作業がし難くなってしまう。
【０００４】
本発明は、このような従来の問題を解決するためになされたものであり、可撓性プリント基板に起因した完成前に行なうべき作業のし難さを軽減することのできるような構造の光ピックアップ装置を提供するものである。
【課題を解決するための手段】
【０００５】
本発明に係る光ピックアップ装置は、ピックアップレンズを固定支持するレンズホルダと、該レンズホルダから延びる複数の導電性ワイヤと、該複数の導電性ワイヤのそれぞれの先端部が半田付け固定される端子及び該端子に電気的に導通する中継端子を有するプリント基板と、前記複数の導電性ワイヤへの通電により当該複数の導電性ワイヤによって弾性支持される前記レンズホルダを所定の方向に駆動させる駆動部とを備えたピックアップユニットと、前記ピックアップレンズを露出させた状態で前記ピックアップユニットを収納するホルダ部材とを有する光ピックアップ装置であって、前記プリント基板の中継端子に半田付けされる端子の形成された第１端子部と、該第１端子部の端子に電気的に導通する端子の形成された第２端子部と、前記第１端子部と前記第２端子部との間にそれらと一体的に形成された中間部とを有する第１の可撓性プリント基板と、該第１の可撓性プリント基板を前記ピックアップユニットにおいて固定支持する固定部材と、外部の給電部に接続される端子の形成される第１端子部と、前記第１端子部の端子に電気的に導通する端子の形成された第２端子部とを有する第２の可撓性プリント基板と、前記ホルダ部材に形成され、前記第１の可撓性プリント基板の第２端子部に形成された端子と前記第２の可撓性プリント基板の第２端子部に形成された端子とが接合するように前記第１の可撓性プリント基板及び前記第２の可撓性プリント基板の各第２端子部をセットする端子接合セット部とを有し、前記第１の可撓性プリント基板及び前記第２の可撓性プリント基板の各第２端子部に形成された端子が半田付けされ、前記ホルダ部材の前記端子接合セット部は、所定の角度をもって各縁にて接合する第１セット面と第２セット面とを有し、前記第１の可撓性プリント基板の第２端子部の端子の形成された側の面が前記第１セット面に当接すると共に、前記第１セット面の前記第２セット面との接合縁から前方に前記端子が出るように、前記第１の可撓性プリント基板の第２端子部が前記第１セット面にセットされ、前記第２の可撓性プリント基板の第２端子部の端子の形成されていない側の面が前記第２セット面に当接するように、前記第２の可撓性プリント基板の第２端子部が前記第２セット面にセットされ、前記端子接合セット部は、更に、前記第１セット面の前記第２セット面との接合縁より前方に設けられ、前記接合縁から前方に出る前記第１の可撓性プリント基板の第２端子部の端子の形成されていない側の面を押える浮き上がり抑止部材を有し、前記第１の可撓性プリント基板の第２端子部は、両側部のそれぞれに形成された係止凹部を有し、前記第２の可撓性プリント基板の第２端子部は、その先端縁の両側部のそれぞれから突出する係止突起部を有し、前記端子接合セット部は、前記第１セット面にセットされる前記第１の可撓性プリント基板の第２端子部の前記係止凹部が前記第１セット面と前記第２セット面との接合縁と前記浮き上がり抑止部材との間に配置されるように、前記第１の可撓性プリント基板の第２端子部の先端位置を規制する先端位置規制部材を有し、前記第２セット面にセットされた第２の可撓性プリント基板の第２端子部の前記係止突起部が前記第１セット面にセットされた第１の可撓性プリント基板の第２端子部の前記係止凹部に嵌り込むようにした構成となる。
【０００６】
このような構成により、外部の給電部にまで延ばす必要のない第1の可撓性プリント基板の第1端子部に形成された端子をプリント基板の中継端子に半田付け固定した後に、ピックアップレンズを固定支持するレンズホルダから延びる複数の導電性ワイヤを前記プリント基板の端子に半田付け固定することができる。そして、前記レンズホルダ、前記プリント基板、駆動部及び前記第1の可撓性プリント基板が一体化されたピックアップユニットに対して調整作業やエージング等の作業を行なうことができるようになる。このような作業の終了後に、ピックアップレンズを露出させて前記ピックアップユニットを収納するホルダ部材の端子接合セット部において、第1端子部が外部の給電部に接続される第２の可撓性プリント基板の第２端子部と前記第１の可撓性プリント基板の第２端子部とがそれぞれの端子が接合するようにセットされ、各端子の半田付けがなされる。これにより、給電部から前記第１の可撓性プリント基板、前記第２の可撓性プリント基板、前記プリント基板及び複数の導電性ワイヤを通して前記ピックアップユニットの駆動部に通電がなされ得るようになる。
【０００７】
また、本発明に係る光ピックアップ装置において、前記プリント基板の中継端子と前記第１の可撓性プリント基板の第１端子部に形成された端子とが略垂直に接合する構成とすることができる。
【０００８】
このような構成により、プリント基板の中継端子と第１の可撓性プリント基板の第１端子部に形成された端子とが略垂直に接合した状態で、半田付け固定されるようになる。
【０００９】
また、本発明に係る光ピックアップ装置において、前記固定部材は、前記第１の可撓性プリント基板の第１端子部から続く中間部の一部を受ける受け面を有する構成とすることができる。
【００１０】
このような構成により、第１の可撓性プリント基板のプリント基板の中継端子に半田付け固定される端子の形成された第１端子部から続く中間部の一部が固定部材の受け面にて受けられるので、前記受け面にて受けられていない前記中間部の他の一部からホルダ部材の端子接合セット部にセットすべき第２端子部をフリーな状態にしつつ、前記第１の可撓性部プリント基板を固定部材にて固定支持することができるようになる。これにより、第１の可撓性プリント基板の第２端子部を前記端子接合セット部にセットし易くすることができる。
【００１１】
また、本発明に係る光ピックアップ装置において、前記第１の可撓性プリント基板の前記第１端子部の端子の形成された面と逆側の端子非形成面及び前記中間部の前記固定部材の前記受け面との当接部分の少なくとも一部の前記第１端子部の端子非形成面から続く面に接合する板状補材を有する構成とすることができる。
【００１２】
このような構成により、板状補材により第１の可撓性プリント基板の第１端子部及び中間部の固定部材の受け面との当接部分の少なくとも一部が板状補材にて裏打ちされるようになるので、前記中間部の前記固定部材の受け面からの浮き上がりを防止することができるようになる。
【００１３】
また、本発明に係る光ピックアップ装置において、前記第１の可撓性プリント基板は、前記中間部の前記受け面にて受けられていない所定位置から両側方に突出する２つの突出部を有し、前記固定部材は、前記第１の可撓性プリント基板の前記中間部から突出する２つの突出部のそれぞれを係止する係止部を有する構成とすることができる。
【００１４】
このような構成により、第１の可撓性プリント基板の固定部材の受け面に受けられていない中間部の所定位置が固定部材に係止されるようになるので、前記第１の可撓性プリント基板の中間部の前記固定部材の受け面からの浮き上がりを防止することができる。
【００１５】
更に、本発明に係る光ピックアップ装置において、前記係止部は、前記受け面の向く方向とは逆側に当該受け面から段差をもって前記固定部材に形成された構成とすることができる。
【００１６】
このような構成により、第１の可撓性プリント基板の固定部材の受け面にて受けられていない中間部が前記受け面の向く方向と逆側に段差をもって延びるようになるので、前記中間部の一部が前記受け面により密着するようになり、その浮き上がりをより確実に防止できるようになる。
【００１８】
本発明に係る光ピックアップ装置においては、ホルダ部材の端子接合セット部の第１セット面と第２セット面とがそれらの各縁にて所定の角度をもって接合しているので、第１の可撓性プリント基板の第２端子部を第１セット面にセットすると共に第２の可撓性プリント基板の第２端子部を第２セット面にセットすることにより、各セット面の接合縁から前方に出る第１の可撓性プリント基板の第２端子部に形成された端子と、第２の可撓性プリント基板の第２端子部に形成された端子とが前記所定の角度をもって接合し得るようになる。
【００１９】
また、本発明に係る光ピックアップ装置において、前記第１セット面と前記第２セット面とが略垂直に接合する構成とすることができる。
【００２０】
このような構成により、各セット面の接合縁から前方に出る第１の可撓性プリント基板の第２端子部に形成された端子と、第２の可撓性プリント基板の第２端子部に形成された端子とが略垂直に接合し得るようになる。
【００２２】
本発明に係る光ピックアップ装置においては、第１セット面にセットされる第１の可撓性プリント基板の第２端子部の前記第１セット面と第２セット面との接合縁から前方に出る部分の浮き上がりが抑止されるようになるので、第１の可撓性プリント基板の第２端子部をより確実に前記第１セット面にセットすることができるようになる。
【００２４】
本発明に係る光ピックアップ装置においては、第１の可撓性プリント基板の第２端子部を、該第２端子部の先端が先端位置規制部にて規制された状態で端子接合セット部の第１セット面にセットすると、前記第２端子部の係止凹部が第１セット面と第２セット面との接合縁とその前方に位置する浮き上がり抑止部材との間に配置されるようになるので、第２の可撓性プリント基板の第２端子部の係止突起部を容易に前記係止凹部に嵌め込んだ状態で当該第２の可撓性プリント基板の第２端子部を第２セット面にセットできるようになる。そして、前記係止突起部が前記係止凹部に嵌り込むようになるので、前記第１の可撓性プリント基板の第２端子部と前記第２の可撓性プリント基板の第２端子部とを、それぞれの端子が確実に接合するようにセットすることができるようになる。
【００２５】
更に、本発明に係る光ピックアップ装置において、前記第２セット面には突起が形成され、前記第２の可撓性プリント基板の第２端子部には係止孔が形成され、前記第２の可撓性プリント基板の第２端子部は、前記突起が前記係止孔に嵌り込むように、前記第２セット面にセットされた構成とすることができる。
【００２６】
このような構成により、ホルダ部材の端子接合セット部の第２セット面に突起が形成されると共に、該突起が嵌り込む係止孔が第２の可撓性プリント基板の第２端子部に形成されているので、第２可撓性プリント基板の第２端子部を前記セット面に確実かつ容易にセットすることができるようになる。
【発明の効果】
【００２７】
本発明に係る光ピックアップ装置によれば、ピックアップレンズを固定支持するレンズホルダ、該レンズホルダから延びる複数の導電性ワイヤが半田付けされたプリント基板及び前記導電性ワイヤを通して通電される駆動部を備えたピックアップユニットにおいて外部の給電部にまで延ばす必要がなく極力短くすることのできる第１の可撓性プリント基板が前記プリント基板に半田付けされているので、完成前に前記ピックアップユニットに対して各種作業を行なう際に、前記第１の可撓性プリント基板が邪魔になる程度が低くなる。よって、完成前に前記ピックアップユニットに対して行なうべき各種作業のし難さを軽減することができるようになる。
【発明を実施するための最良の形態】
【００２８】
以下、本発明の実施の形態について、図面を用いて説明する。
【００２９】
本発明の実施の一形態に係る光ピックアップ装置におけるピックアップユニットは、図１乃至図７に示すように組み立てられる。なお、図１は、プリント基板を示す斜視図（ａ）、サブフレキシブルプリント基板（第１の可撓性プリント基板：以下、サブＦＰＣという）を示す平面図（ｂ）及びプリント基板とサブＦＰＣとの接合状態を示す斜視図（ｃ）、図２は、プリント基板に形成された中継端子とサブＦＰＣの第１端子部に形成された端子との接合状態を示す斜視図、図３は、プリント基板に接合されるサブＦＰＣが更に固定部材に支持固定された状態を示す斜視図、図４は、固定部材の端部でのサブＦＰＣの固定構造を拡大して示す斜視図（ａ）及びサブＦＰＣの補強構造を拡大して示す斜視図（ｂ）、図５は、ピックアップレンズを収納するレンズホルダから延びる導電性ワイヤとプリント基板との接合状態を示す斜視図、図６は、プリント基板に形成された中継端子とサブＦＰＣの第１端子部に接合された端子とが半田付けされると共に導電性ワイヤがプリント基板の端子に半田付けされた状態を拡大して示す斜視図、及び図７は、本発明の実施の一形態に係る光ピックアップ装置におけるピックアップユニットを示す斜視図である。
【００３０】
図１（ａ）において、プリント基板１０の両端部のそれぞれに上下に配列される２つの端子１１ａ、１１ｂ、及び端子１１ｃ、１１ｄが形成されている。各端子１１ａ、１１ｂ、１１ｃ、１１ｄのそれぞれには後述する導電性ワイヤが挿入される孔が形成されている。また、プリント基板１０の略中央部には、４つの中継端子１２ａ、１２ｂ、１２ｃ、１２ｄが配列形成されている。前記４つの中継端子のうちの両端に位置する各中継端子１２ａ、１２ｄの先端部はプリント基板１０の上縁から突出しており、それら中継端子１２ａ、１２ｄの間に位置する各中継端子１２ｂ、１２ｃの先端部はプリント基板１０の上縁に達している。前記導電性ワイヤが挿入されるべき孔の形成された各端子１１ａ、１１ｂ、１１ｃ、１１ｄと各中継端子１２ａ、１２ｂ、１２ｃ、１２ｂとは、プリント配線（図示略）にて接続され、または薄い導電性金属板から一体に形成されており、各端子と対応する中継端子とが電気的に導通する状態となっている。
【００３１】
図１（ｂ）において、サブＦＰＣ２０は、その一方の端部に位置する第１端子部２０ａと、他方の端部に位置する第２端子部２０ｄと、第１端子部２０ａと第２端子部２０ｄとの間にそれらと一体的に形成された第１中間部２０ｂ及び第２中間部２０ｃとを有している。第１端子部２０ａにはサブＦＰＣ２０の側方に延びる４つの端子２１ａ、２１ｂ、２１ｃ、２１ｄが配列形成され、第２端子部２０ｄにはサブＦＰＣ２０の長手方向に延びる４つの端子２２ａ、２２ｂ、２２ｃ、２２ｄが配列形成されている。第１端子部２０ａに形成された各端子２１ａ、２１ｂ、２１ｃ、２１ｄと第２端子部２０ｄに形成された各端子２２ａ、２２ｂ、２２ｃ、２２ｄとはプリント配線（図示略）にて接続されており、それらは電気的に導通する状態となっている。第１中間部２０ｂと第２中間部２０ｃとの境界部分には、両側方に突出する２つの側方突出部２３ａ、２３ｂが形成されている。第２端子部２０ｄの第２中間部２０ｃとの境界部分にはサブＦＰＣ２０の両側方に突出するフィン部２４ａ、２４ｂが形成され、第２端子部２０ｄの端子２２ａ、２２ｂ、２２ｃ、２２ｄの形成された部分の先端縁の両側端部には該先端縁から突出する先端突出部２５ａ、２５ｂが形成されている。第２端子部２０ｄの端子２２ａ〜２２ｄの形成された部分の両側部と各フィン部２４ａ、２４ｂとの間に係止凹部２６ａ、２６ｂとしての隙間が形成されている。
【００３２】
図１（ｃ）において、サブＦＰＣ２０の第１端子部２０ａの端子２１ａ〜２１ｄの形成された面と逆側の端子非形成面及び第１中間部２０ｂの一部の第１端子部２０ａの端子非形成面から続く面には、例えばポリイミド樹脂等で形成された板状補材２８が接合し、接着等により固定されている。板状補材２８には、孔２８ａ、２８ｂが形成され、これら孔２８ａ、２８ｂは、図２に示すように、第１端子部２０ａの４つの端子２１ａ〜２１ｄの両端に位置する各端子２１ａ、２１ｄに形成された貫通孔と位置合わせされている。
【００３３】
サブＦＰＣ２０の第１端子部２０ａがプリント基板１０の中継端子１２ａ〜１２ｄの形成された部分に略垂直に接合され、図２に示すように（後述する図４（ｂ）も参照）、プリント基板１０の４つの中継端子１２ａ〜１２ｄの両端に位置する中継端子１２ａ、１２ｄの先端部が第１端子部２０ａ（サブＦＰＣ２０）の端子２１ａ、２２ｄの貫通穴及び板状補材２８の孔２８ａ、２８ｂに嵌め込まれる。これにより、プリント基板１０の中継端子１２ａ〜１２ｄが第１端子部２０ａ（サブＦＰＣ２０）の端子１２ａ〜１２ｄに略垂直に接合した状態となる。
【００３４】
図３に示すように、固定部材３０がプリント基板１０に略平行に配置され、固定部材３０のプリント基板１０に対向する面の両端部に突出部３５ａ、（３５ｂ：図３では表れていない（後述する図６参照））が形成されると共に両突出部３５ａ（３５ｂ）の間に取付け部３６が形成されている。そして、取付け部３６にプリント基板１０が接着等により固定される。この状態で、固定部材３０の突出部３５ａ（３５ｂ）とプリント基板１０との間にわずかな隙間が形成され、この隙間の範囲内でプリント基板１０の両端部が撓み得るようになっている。プリント基板１０の端子１１ａに対向した固定部材３０の部位に貫通孔３４ａ、プリント基板１０の端子１１ｃに対向した固定部材３０の部位に貫通孔３４ｃがそれぞれ形成されている。また、図示されてはいないが、突出部３５ａにプリント基板１０の端子１１ｂに対向するように貫通孔が形成されると共に、逆側の突出部（３５ｂ）にプリント基板１０の端子１１ｄに対向するように貫通孔が形成されている。
【００３５】
固定部材３０は受け面３０ａにてサブＦＰＣ２０の第１端子部２０ａから続く第１中間部２０ｂの板状補材２８が接合する部分を受けている。固定部材３０の一方の端部には、プリント基板１０に対向する面から続く所定幅の延長突出部３１が形成されると共にプリント基板１０に対向する面と逆側の面から続く所定幅の延長突出部３２が形成されている。これにより、延長突出部３１、３２間に空間３３が形成される。延長突出部３１、３２には、図４（ａ）に更に詳細に示すように、受け面３０ａの向く方向（図示上方）と逆方向に開く凹部３１ａ、３２ａ（係止部）が、受け面３０ａの向く方向とは逆側に当該受け面３０ａから段差をもって形成されている。そして、サブＦＰＣ２０の第１中間部２０ｂが延長突出部３１、３２間の空間３３に引き込まれて側方突出部２３ａ、２３ｂが凹部３１ａ、３２ａに引っ掛け係止される。
【００３６】
このようなプリント基板１０、サブＦＰＣ２０及び固定部材３０の接合構造では、図４（ｂ）に詳細に示すように、プリント基板１０の中継端子１２ａ、１２ｄが孔２８ａ、２８ｂに嵌り込んで位置決めされる板状補材２８によってサブＦＰＣ２０の第１端子部２０ａ及びそれに続く第１中間部２０ｂの一部が裏打ちされるので、サブＦＰＣ２０の第１中間部２０ｂの固定部材３０の受け面３０ａからの浮き上がりが防止される。また、サブＦＰＣ２０の側方突出部２３ａ、２３ｂが延長突出部３１、３２の凹部３１ａ、３２ａに引っ掛け係止されることにより第１中間部２０ｂの固定部材３０の受け面３０ａにて受けられていない部分が受け面３０ａの向く方向と逆側に段差をもって延長突出部３１、３２間の空間３３に引き込まれるので（図４（ａ）参照）、板状補材２８によって裏打ちされたサブＦＰＣ２０の第１中間部２０ｂが受け面３０ａにより密着するようになり、その浮き上がりがより確実に防止される。そして、サブＦＰＣ２０の側方突出部２３ａ、２３ｂから第２端子部２０ｄに続く第２中間部２０ｃが弛んだ状態となり、かつ、第２端子部２０ｄがフリーな状態となる。
【００３７】
図５において、枠状体となるレンズホルダ４０の内方に突出する支持部４１ａ、４１ｂ、４２ａ、４２ｂによってピックアップレンズ４５が位置決めされて固定支持されている。レンズホルダ４０にはフォーカシングコイル及びトラッキングコイル（図示略）の２つのコイルが巻回されている。また、それらのコイルそれぞれの両端に接続される端子棒４３ａ、４３ｂ、４３ｃ、（４３ｄ：図５では表れていない（後述する図６参照））がレンズホルダ４０から突出するように設けられている。
【００３８】
ピックアップレンズ４５を固定支持するレンズホルダ４０は、固定部材３０を挟んでプリント基板１０と逆側に配置されており、端子棒４３ａに一端部が半田付け固定された導電性ワイヤ４４ａが固定部材３０の貫通孔３４ａ及びプリント基板１０の端子１１ａに形成された孔を貫通し、端子棒４３ｃに一端部が半田付け固定された導電性ワイヤ４４ｃが固定部材３０の貫通孔３４ｃ及びプリント基板１０の端子１１ｃに形成された孔を貫通している。また、端子棒４３ｂ及び図示されていない端子棒（４３ｄ）それぞれに一端部が半田付け固定された導電性ワイヤ４４ｂ、４４ｄも、固定部材３０の突出部３５ａ、（３５ｂ：図５には表れていない）に形成された貫通孔及びプリント基板１０の端子１１ｂ、１１ｄに形成された孔を貫通している。なお、固定部材３０に形成された貫通孔には、導電性ワイヤ４４ａ〜４４ｄが挿通された後にゲル状のダンパ材が充填されており、これにより、導電性ワイヤ４４ａ〜４４ｄの不所望の振動が抑制される。
【００３９】
この状態で、図６に示すように、プリント基板１０の各中継端子１２ａ、１２ｂ、１２ｃ、１２ｄとそれらに略垂直に接合するサブＦＰＣ２０の第１端子部２０ａに形成された端子２１ａ、２１ｂ、２１ｃ、２１ｄとの間に半田塊５１ａ、５１ｂ、５１ｃ、５１ｄが盛られて、各中継端子１２ａ、１２ｂ、１２ｃ、１２ｄと対応する端子２１ａ、２１ｂ、２１ｃ、２１ｄとが半田付け固定される。この半田付け時、各中継端子１２ａ、１２ｂ、１２ｃ、１２ｄと端子２１ａ、２１ｂ、２１ｃ、２１ｄは略垂直に接合した状態となっているため、その接合部に半田塊５１ａ、５１ｂ、５１ｃ、５１ｄが充填され、よって各中継端子１２ａ〜１２ｄと端子２１ａ〜２１ｄとの接合強度が高められる。その後、導電性ワイヤ４４ａ、４４ｂ、４４ｃ、４４ｄが貫通するプリント基板１０の各端子１１ａ、１１ｂ、１１ｃ、１１ｄに半田塊５２ａ、５２ｂ、５２ｃ、５２ｄが盛られ、各導電性ワイヤ４４ａ、４４ｂ、４４ｃ、４４ｄとプリント基板１０の対応する端子１１ａ、１１ｂ、１１ｃ、１１ｄとが半田付け固定される。このように導電性ワイヤ４４ａ、４４ｂ、４４ｃ、４４ｄがプリント基板１０の各端子１１ａ、１１ｂ、１１ｃ、１１ｄに半田付け固定されることにより、レンズホルダ４０が４本の導電性ワイヤ４４ａ、４４ｂ、４４ｃ、４４ｄによって弾性支持されるようになる。
【００４０】
前述したように、プリント基板１０の各中継端子１２ａ〜１２ｄとサブＦＰＣ２０の第１端子部２０ａに形成された端子２１ａ〜２１ｄとの半田付けがなされた後に、プリント基板１０の各端子１１ａ〜１１ｄと導電性ワイヤ４４ａ〜４４ｄとの半田付けがなされるので、その半田付け作業に際して４本の導電性ワイヤ４４ａ〜４４ｄにて弾性支持されるレンズホルダ４０の傾き、位置ずれ等の発生はない。
【００４１】
次に、前述したように一体化されたプリント基板１０、サブＦＰＣ２０、固定部材３０及びレンズホルダ４０（図５及び図６参照）が、図７に示すように、金属製のシャーシ６０に収容され、全体としてピックアップユニット７０が構成される。固定部材３０の両端部がシャーシ６０の両側底部６５、６６に接着等により固定され、レンズホルダ４０は４本の導電性ワイヤ４４ａ、４４ｂ、４４ｃ、４４ｄにて弾性支持された状態が維持されつつシャーシ６０内に収納される。シャーシ６０は、レンズホルダ４０を挟むように配置され、相互に対向する２つの起立板６１、６２を有し、起立板６１、６２のそれぞれ対向する面に磁石６３、６４が固着されている。起立板６１、６２を含むシャーシ６０（金属製）及び磁石６３，６４にて形成される磁気回路及びレンズホルダ４０に巻回されたトラッキングコイル及びフォーカシングコイルにより駆動部が構成される。駆動部は、導電性ワイヤ４４ａ、４４ｂ、４４ｃ、４４ｄを通したトラッキングコイル及びフォーカシングコイルへの通電により、導電性ワイヤ４４ａ〜４４ｄにて弾性支持されるレンズホルダ４０をピックアップレンズ４５の光軸方向（フォーカシング方向Ｆ）及びピックアップレンズ４５が対向するディスク記録媒体（ＣＤ、ＭＤ等）の径方向（トラッキング方向Ｔ）にレンズホルダ４０を駆動させる（２軸アクチュエータ）。
【００４２】
シャーシ６０のサブＦＰＣ２０の第２端子部２０ｄが配置される隅を除く３隅にブラケット６７ａ、６７ｂ、６７ｃが形成されている。レンズホルダ４０を通る対角線上に位置するブラケット６７ａ、６７ｃには孔が形成され、他のブラケット６７ｂには例えば半球状の凹部が形成されている。
【００４３】
前述したような構造のピックアップユニット７０からはサブＦＰＣ２０の第２中間部２０ｃが弛んだ状態で突出し、第２端子部２０ｄがフリーな状態となって突出している。そして、第２端子部２０ｄに形成された端子２２ａ〜２２ｄ（図１（ｂ）参照）を例えば検査機器の給電端子に接続することにより、サブＦＰＣ２０、プリント基板１０、導電性ワイヤ４４ａ〜４４ｄを通してレンズホルダ４０内のトラッキングコイル及びフォーカシングコイルに通電がなされ、ピックアップユニット７０に対する電気的な検査やエージング等を行なうことができる。また、ピックアップユニット７０に対する機械的な調整作業も行ない得る。ピックアップユニット７０からはサブＦＰＣ２０が部分的（第２中間部２０ｃ、第２端子部２０ｄ）にしか突出していないので、サブＦＰＣ２０によって邪魔されることがなく、容易にそれらの作業を行なうことができるようになる。
【００４４】
前述したピックアップユニット７０を含む本発明の実施の一形態に係る光ピックアップ装置は、図８乃至図１８に示すように組み立てられる。なお、図８は、ピックアップユニットがホルダ部材に収容された状態を示す斜視図、図９は、ホルダ部材における端子接合セット部のホルダ部材内方側の構造を示す斜視図、図１０は、ホルダ部材における端子接合セット部のホルダ部材外方側の構造を示す斜視図、図１１は、端子接合セット部にサブＦＰＣの第２端子部をセットした状態をホルダ部材内方から見た斜視図、図１２は、端子接合セット部にサブＦＰＣの第２端子部をセットした状態をホルダ部材外方から見た斜視図、図１３は、メインフレキシブルプリント基板（第２の可撓性プリント基板：以下メインＦＰＣという）を示す平面図、図１４は、メインＦＰＣの回路形成部をホルダ部材に装着した状態を示す斜視図、図１５は、ホルダ部材における端子接合セット部にメインＦＰＣの第２端子部をセットした状態をホルダ部材外方から見た斜視図、図１６は、ホルダ部材における端子接合セット部にメインＦＰＣの第２端子部をセットした状態をホルダ部材内方から見た斜視図、図１７は、ホルダ部材における端子接合セット部にセットされたサブＦＰＣの第２端子部に形成された各端子とメインＦＰＣの第２端子部に形成された各端子部とが半田付けされた状態を示す斜視図、及び図１８は、完成品となる光ピックアップ装置を示す斜視図である。
【００４５】
前述したような構造となるピックアップユニット７０（図７参照）は、図８に示すように、ピックアップレンズ４５を露出した状態で合成樹脂製のホルダ部材８０に収容される。ホルダ部材８０において、ピックアップユニット７０が、シャーシ６０の対角線上の両隅に形成されたブラケット６７ａ、６７ｃの孔（図７参照）を通る調整ネジ８１ａ、８１ｂによって固定支持される。また、ホルダ部材８０の一方の側端部に板バネ片８２がネジ８３によって固定されている。板バネ片８２の先端部のホルダ部材８０に対向する面には例えば半球状の凸部が形成され、ホルダ部材８０には、この凸部と対向する凹部が形成されており、板バネ片８２は、その凸部がシャーシ６０のブラケット６７ｂに形成された凹部（図７参照）に係合した状態で、そのブラケット６７ｂの凹部をホルダ部材８０の凹部に摺動可能に押え付けている。調整ネジ８１ａ、８１ｂの締め量をそれぞれ調整することにより、ピックアップユニット７０（シャーシ６０）のブラケット６７ｂの凹部を支点とした傾き調整（スキュー調整）が可能となる。
【００４６】
ホルダ部材８０の板バネ片８２が固定された側端部と逆側の側端部には端子接合セット部８４が形成されている。前述したようにピックアップユニット７０がホルダ部材８０に収容される際に、弛んだ状態となるサブＦＰＣ２０の第２中間部２０ｃに続く第２端子部２０ｄが端子接合セット部８４にセットされる。
【００４７】
端子接合セット部８４は、図９に示すように、ホルダ部材８０の内方側に形成された第１セット面８４１と、図１０に示すように、ホルダ部材８０の外方側に形成された第２セット面８４６とを有する。第１セット面８４１と第２セット面８４６とは略垂直に接合しており、その接合縁８４０より前方（側方）の所定位置に接合縁８４０と平行となる押えバー８４２（浮き上がり抑止部材）が形成されている。また、第１セット面８４１と押えバー８４２との間の段差及び第２セット面８４６と押えバー８４２との間の段差によって貫通孔８４３が形成されている。
【００４８】
押えバー８４２の外側面の略中央部には、図１０に示すように、ストッパ部８４４（先端位置規制部材）が形成されている。ホルダ部材８０の外方側において（図１０参照）、押えバー８４２の両端部のそれぞれの外方に押えバー８４２と段差をもって支持突出部８４５ａ、８４５ｂが形成されている。第２セット面８４６の所定位置には突起８４６ａが形成されている。なお、第２セット面８４６に隣接して後述するメインＦＰＣの引出し部８４７が形成されている。
【００４９】
ピックアップユニット７０から突出するサブＦＰＣ２０の第２端子部２０ｄが、図１１及び図１２に示すように、ホルダ部材８０の内側から外側に向けて貫通孔８４３の第１セット面８４１と押えバー８４２との間の段差に対応した部分に挿入される。そして、第２端子部２０ｄの端子２２ａ〜２２ｄの形成された部分の先端がストッパ８４４に当接してその先端位置が規制され、先端突出部２５ａ、２５ｂが押えバー８４２と支持突出部８４５ａ、８４５ｂとによって挟まれた状態となる。この状態において、第２端子部２０ｄの端子２２ａ〜２２ｄの形成された面が第１セット面８４１に当接し、第１セット面８４１と第２セット面８４６との接合縁８４０から前方に端子２２ａ〜２２ｄが出現する（図１２参照）。また、第２端子部２０ｄの両フィン部２４ａ、２４ｂがホルダ部材８０の内方側に位置し、各フィン部２４ａ、２４ｂのそれぞれと端子２２ａ〜２２ｂの形成された部分の側部との間に形成された係止凹部２６ａ、２６ｂが貫通孔８４３の第２セット面８４６と押えバー８４２との間の段差に対応した部分、即ち、第１セット面８４１と第２セット面８４６との接合縁８４０と押えバー８４２との間に配置される。
【００５０】
このようにしてサブＦＰＣ２０の第２端子部２０ｄがホルダ部材８０における端子接合セット部８４の第１セット面８４１にセットされる。第２端子部２０ｄが第１セット面８４１にセットされた状態で、第２端子部２０ｄの先端突出部２５ａ、２５ｂが押えバー８４２によって押さえ込まれるので、第２端子部２０ｄの第１セット面８４１と第２セット面８４６との接合縁８４０から前方に出る部分の浮き上がりが抑止され、第２端子部２０ｄをより確実に第１セット面８４１にセットすることができるようになる。この状態で、サブＦＰＣ２０の第２端子部２０ｄは、Ｕ字状に撓む第２中間部２０ｃの弾性復帰力により前方（ストッパ８４４に当接する方向）に付勢されており、貫通孔８４３から抜け出ることがない。
【００５１】
メインＦＰＣ９０は、例えば、図１３に示すように構成される。図１３において、メインＦＰＣ９０は、その一端部に位置する第１端子部９０ａと、他方の端部に位置する回路形成部９０ｃと、第１端子部９０ａと回路形成部９０ｃとの間にそれらと一体的に形成された中間部９０ｂとを有している。第１端子部９０ａには外部の給電部や制御部等に接続される複数の端子が形成されている。回路形成部９０ｃは、第２端子部９１、第１素子装着部９２、第２素子装着部９３及び第３素子装着部９４を有する。第２端子部９１にはサブＦＰＣ２０の第２端子部２０ｄに形成された端子２２ａ〜２２ｄに接続されるべき４つの端子が形成され、第１素子装着部９２には発光・受光素子９８が装着されている（図１４参照）。また、第２素子装着部９３及び第３素子装着部９４のそれぞれにも所定の回路素子が装着されている。第１端子部９０ａに形成された各端子と、第２端子部９１に形成された各端子、第１素子装着部９２、第２素子装着部９３及び第３素子装着部９４それぞれの素子端子とがプリント配線（図示略）にて接続され、そられは電気的に導通する状態となっている。第２端子部９１は、その先端縁の両側部のそれぞれから突出する係止突起部９１１ａ、９１１ｂを有している。
【００５２】
メインＦＰＣ９０の回路形成部９０ｃは、第２端子部９１、第１素子装着部９２及び第２素子装着部９３が起立させられた状態でホルダ部材８０の側面部及び底面部の外面に取付けられる。具体的には、図１４に示すように、第２端子部９１がホルダ部材８０の端子接合セット部８４にセットされ、第１素子装着部９２がホルダ部材８０のプリント基板１０に隣接する側面部に取り付けられる。第２素子装着部９３は、ホルダ部材８０の端子接合セット部８４の形成された側面部と逆側の側面部に取り付けられる（図１４では図示されていない。後述する図１９乃至図２６参照）。また、第３素子部装着部９４は、ホルダ部材８０の底面部の第２端子部９１近傍に取り付けられる（図１４では図示されていない。後述する図１５参照）。そして、メインＦＰＣ９０の中間部９０ｂは、ホルダ部材８０の引出し部８４７に形成された溝を通って引き出される。
【００５３】
なお、第１素子装着部９２がホルダ部材８０に取付けられることにより、第１素子装着部９２に装着された発光・受光素子９８の光軸は、ピックアップレンズ４５の光軸に対して略直交するように設定される。発光・受光素子９８からの光がピックアップレンズ４５を介してディスク記録媒体の表面に適正に照射されるように、また、ディスク記録媒体からの反射光が発光・受光素子９８に適正に入射するように、ホルダ部材８０内にミラーを含む所定の光学系（図示略）が設けられる。
【００５４】
メインＦＰＣ９０の第２端子部９１は、前述したようにサブＦＰＣ２０の第２端子部２０ｄが既にセットされている端子接合セット部８４（図１１及び図１２参照）に次のようにしてセットされる。
【００５５】
図１１及び図１２に示すように第１セット面８４１と第２セット面８４６との接合縁８４０と押えバー８４２との間に配置されているサブＦＰＣ２０の第２端子部２０ｄに形成された係止凹部２６ａ、２６ｂにメインＦＰＣ９０の第２端子部９１の係止突起部９１１ａ、９１１ｂが図１５及び図１６に示すように嵌め込まれる。そして、メインＦＰＣ９０の第２端子部９１の端子９５ａ、９５ｂ、９５ｃ、９５ｄの形成されていない面が第２セット面８４６に当接し、第２セット面８４６の突起８４６ａが第２端子部９１に形成された係止孔９１ａに嵌り込むように、当該第２端子部９１が第２セット面８４６にセットされる。この状態で、サブＦＰＣ２０の第２端子部２０ｄに形成された各端子２２ａ、２２ｂ、２２ｃ、２２ｄとメインＦＰＣ２０の第２端子部９１に形成された各端子９５ａ、９５ｂ、９５ｃ、９５ｄが略垂直に接合する（図１５参照）。
【００５６】
サブＦＰＣ２０の端子部２０ｄに形成された係止凹部２６ａ、２６ｂにメインＦＰＣ９０の第２端子部９１に形成された係止突起部９１１ａ、９１１ｂが嵌り込むようになるので（図１６参照）、サブＦＰＣ２０の第２端子部２０ｄが抜け止めされた状態となる。また、メインＦＰＣ９０の第２端子部９１に形成された係止突起部９１１ａ、９１１ｂはサブＦＰＣ２０の第２端子部２０ｄに形成されたフィン部２４ａ、２４ｂと押えバー８４２とによって挟まれた状態となる。更に、第２セット面８４６に形成された突起８４６ａがメインＦＰＣ９０の第２端子部９１形成された係止孔９１ａに嵌め込まれるようにメインＦＰＣ９０の第２端子部９１が第２セット面８４６にセットされるので、メインＦＰＣ２０の第２端子部９１が抜け止めされた状態となる。これらにより、サブＦＰＣ２０の第２端子部２０ｄとメインＦＰＣ９０の第２端子部９１とを、それぞれの端子２２ａ〜２２ｄと端子９５ａ〜９５ｄとが確実に接合するように、第１セット面８４１及び第２セット面８４６にセットできるようになる。
【００５７】
前述したようにサブＦＰＣ２０及びメインＦＰＣ９０の各第２端子部２０ｄ、９１がホルダ部材８０の端子接合セット部８４にセットされた状態で、図１７に示すように、サブＦＰＣ２０の第２端子部２０ｄに形成された各端子２２ａ、２２ｂ、２２ｃ、２２ｄとそれらと略垂直に接合するメインＦＰＣ９０の第２端子部９１に形成された端子９５ａ、９５ｂ、９５ｃ、９５ｄとの間に半田塊５３ａ、５３ｂ、５３ｃ、５３ｄが盛られる。これにより、サブＦＰＣ２０の各端子２２ａ、２２ｂ、２２ｃ、２２ｄとメインＦＰＣ９０の対応する端子９５ａ、９５ｂ、９５ｃ、９５ｄとが半田付け固定される。この半田付け時においても、サブＦＰＣ２０の各端子２２ａ〜２２ｄとメインＦＰＣ９０の各端子９５ａ〜９５ｂとが略垂直な状態で接合しているため、その接合部の隅部に半田塊５３ａ〜５３ｄが充填され、各端子２２ａ〜２２ｄと各端子９５ａ〜９５ｄの接合強度が高められる。
【００５８】
ピックアップユニット７０を収容すると共にメインＦＰＣ９０が装着されたホルダ部材８０に対して、図１８に示すように、ＦＰＣ押え部材１１０とカバー部材１２０が装着され、光ピックアップ装置１００が完成する。この光ピックアップ装置１００におけるサブＦＰＣ２０、ピックアップユニット７０、ホルダ部材８０、メインＦＰＣ９０の回路形成部９０ｃ及びＦＰＣ押え部材１１０の相対的な配置関係は、図１９乃至２６に示すようになっている。なお、図１９は図１８における方向Ａから見たそれらの配置関係、図２０は図１８における方向Ｂから見たそれらの配置関係、図２１は図１８における方向Ｃから見たそれらの配置関係、図２２は図１８における方向Ｄから見たそれらの配置関係、図２３は図１８における方向Ｅから見たそれらの配置関係、図２４は図１８における方向Ｆから見たそれらの配置関係、図２５は図１８における方向Ｇから見たそれらの配置関係、及び図２６は図１８における方向Ｈから見たそれらの配置関係をそれぞれ示している。また、なお、図２３、図２４及び図２５において、メインＦＰＣ９０の回路形成部９０ｃにおける第１素子装着部９２に装着されるべき発光・受光素子９８は省略されており、その発光・受光素子９８が装着されるべき装着部９２ａが示されている。
【００５９】
図１８乃至図２６に示すように、ＦＰＣ押え部材１１０は、底面から立設するサイド押え部１１１、板バネ部１１２及び保護部１１３を有している。ＦＰＣ押え部材１１０は、その底面によりメインＦＰＣ９０の回路形成部９０ｃをホルダ部材８０の底面部の外面に押さえつけ、サイド押え部１１１にてホルダ部材８０における端子接合セット部８４の側面部を押さえつけるようにしてホルダ部材８０に装着される。ＦＰＣ押え部材１１０の板バネ部１１２がメインＦＰＣ９０の中間部９０ｂが引き出される引出し部８４７の近傍に配置され、保護部１１３が第１素子装着部９２に装着された発光・受光素子９８の背面に配置される。そして、ＦＰＣ押え部材１１０の保護部１１３及び第１素子装着部９２を覆うようにカバー部材１２０がホルダ部材８０に装着される。
【００６０】
上述したような実施の形態に係る光ピックアップ装置１００によれば、必要となる可撓性プリント基板が機器に搭載されるべき給電部まで延長する必要のないサブＦＰＣ２０とメインＦＰＣ９０とに分割され、サブＦＰＣ２０だけがピックアップユニット７０に４本の導電性ワイヤ４４ａ〜４４ｄと共に一体化されるので、完成前にピックアップユニット７０に対して各種作業を行なう際に、サブＦＰＣ２０が邪魔になることはなく、その作業を容易に行なうことができるようになる。そして、そのような作業を行なった後に、サブＦＰＣ２０とメインＦＰＣ９０とを接続することにより、光ピックアップ装置を完成させることができるようになる。
【００６１】
なお、前述した実施の形態では、サブＦＰＣ２０の第１端子部２０ａとプリント基板１０とを略垂直にて接合しているが、その接合の角度は任意に設定することができる。この場合、サブＦＰＣ２０の第１端子部２０ａに形成された各端子２１ａ〜２１ｄとプリント基板１０に形成された中継端子１２ａ〜１２ｄとは、その接合角度をもって接合することになる。
【００６２】
また、ホルダ部材８０における端子接合セット部８４の第１セット面８４１と第２セット面８４６との接合角度も、略垂直でなく、任意の角度に設定することができる。この場合も、サブＦＰＣ２０の第２端子部２０ｄに形成された各端子２２ａ〜２２ｄとメインＦＰＣ９０の第２端子部９１に形成された端子９５ａ〜９５ｄとは、その接合角度をもって接合することになる。
【産業上の利用可能性】
【００６３】
以上、説明したように、本発明に係る光ピックアップ装置は、可撓性プリント基板に起因した完成前に行なうべき作業のし難さを軽減することができるという効果を有し、ＣＤ、ＤＶＤ等のディスク記録媒体に対する情報の読み出し及び／又は書き込みを行なう光ピックアップ装置として有用である。
【図面の簡単な説明】
【００６４】
【図１】本発明の実施の一形態に係る光ピックアップ装置に用いられるプリント基板を示す斜視図（ａ）、第１の可撓性プリント基板として用いられるサブＦＰＣを示す平面図（ｂ）及び前記プリント基板とサブＦＰＣとの結合状態を示す斜視図（ｃ）である。
【図２】プリント基板に形成された中継端子とサブＦＰＣの第１端子部に形成された端子との接合状態を示す斜視図である。
【図３】プリント基板に結合されるサブＦＰＣが更に固定部材に支持固定された状態を示す斜視図である。
【図４】固定部材端部でのサブＦＰＣの固定構造を拡大して示す斜視図（ａ）及びサブＦＰＣの補強構造を拡大して示す斜視図（ｂ）である。
【図５】ピックアップレンズを収納するレンズホルダから延びる導電性ワイヤとプリント基板との接合状態を示す斜視図である。
【図６】プリント基板に形成された中継端子とサブＦＰＣの第１端子部に接合された端子とが半田付けされると共に導電性ワイヤがプリント基板の端子に半田付けされた状態を拡大して示す斜視図である。
【図７】本発明の実施の一形態に係る光ピックアップ装置におけるピックアップユニットを示す斜視図である。
【図８】図７に示すピックアップユニットをホルダ部材に収納した状態を示す斜視図である。
【図９】ホルダ部材における端子接合セット部のホルダ部材内方側の構造を拡大して示す斜視図である。
【図１０】ホルダ部材における端子接合セット部のホルダ部材外方側の構造を拡大して示す斜視図である。
【図１１】図８に示すホルダ部材の端子接合セット部にセットされたサブＦＰＣの第２端子部をホルダ部材の内側から見た状態を拡大して示す斜視図である。
【図１２】図８に示すホルダ部材の端子接合セット部にセットされたサブＦＰＣの第２端子部をホルダ部材の外側から見た状態を拡大して示す斜視図である。
【図１３】本発明の実施の一形態に係る光ピックアップ装置に第２の可撓性プリント基板として用いられるメインＦＰＣを示す平面図である。
【図１４】ピックアップユニットを収納したホルダ部材に図１３に示すメインＦＰＣの回路形成部を装着した状態を示す斜視図である。
【図１５】ホルダ部材の端子接合セット部にセットされたサブＦＰＣの第２端子部及びメインＦＰＣの第２端子部をホルダ部材の外側から見た状態を拡大して示す斜視図である。
【図１６】ホルダ部材の端子接合セット部にセットされたサブＦＰＣの第２端子部及びメインＦＰＣの第２端子部をホルダ部材の内側から見た状態を拡大して示す斜視図である。
【図１７】ホルダ部材の端子接合セット部にセットされたサブＦＰＣの第２端子部の端子とメインＦＰＣの第２端子部の端子とが半田付けされた状態を拡大して示す斜視図である。
【図１８】本発明の実施の一形態に係る光ピックアップ装置の完成品を示す斜視図である。
【図１９】光ピックアップ装置におけるサブＦＰＣ、ピックアップユニット、ホルダ部材、メインＦＰＣの回路形成部及びＦＰＣ押え部材１１０の相対的な配置関係を図１８における方向Ａから見た図である。
【図２０】光ピックアップ装置におけるサブＦＰＣ、ピックアップユニット、ホルダ部材、メインＦＰＣの回路形成部及びＦＰＣ押え部材１１０の相対的な配置関係を図１８における方向Ｂから見た図である。
【図２１】光ピックアップ装置におけるサブＦＰＣ、ピックアップユニット、ホルダ部材、メインＦＰＣの回路形成部及びＦＰＣ押え部材１１０の相対的な配置関係を図１８における方向Ｃから見た図である。
【図２２】光ピックアップ装置におけるサブＦＰＣ、ピックアップユニット、ホルダ部材、メインＦＰＣの回路形成部及びＦＰＣ押え部材１１０の相対的な配置関係を図１８における方向Ｄから見た図である。
【図２３】光ピックアップ装置におけるサブＦＰＣ、ピックアップユニット、ホルダ部材、メインＦＰＣの回路形成部及びＦＰＣ押え部材１１０の相対的な配置関係を図１８における方向Ｅから見た図である。
【図２４】光ピックアップ装置におけるサブＦＰＣ、ピックアップユニット、ホルダ部材、メインＦＰＣの回路形成部及びＦＰＣ押え部材１１０の相対的な配置関係を図１８における方向Ｆから見た図である。
【図２５】光ピックアップ装置におけるサブＦＰＣ、ピックアップユニット、ホルダ部材、メインＦＰＣの回路形成部及びＦＰＣ押え部材１１０の相対的な配置関係を図１８における方向Ｇから見た図である。
【図２６】光ピックアップ装置におけるサブＦＰＣ、ピックアップユニット、ホルダ部材、メインＦＰＣの回路形成部及びＦＰＣ押え部材１１０の相対的な配置関係を図１８における方向Ｈから見た図である。
【符号の説明】
【００６５】
１０  プリント基板
１１ａ，１１ｂ，１１ｃ，１１ｄ  端子
１２ａ，１２ｂ，１２ｃ，１２ｄ  中継端子
２０  サブＦＰＣ（第１の可撓性プリント基板）
２０ａ  第１端子部
２０ｂ  第１中間部
２０ｃ  第２中間部
２０ｄ  第２端子部
２１ａ，２１ｂ，２１ｃ，２１ｄ  端子
２２ａ，２２ｂ，２２ｃ，２２ｄ  端子
２３ａ，２３ｂ  側方突出部
２４ａ，２４ｂ  フィン部
２５ａ，２５ｂ  先端突出部
２６ａ，２６ｂ  係止凹部
２８  板状補材
２８ａ，２８ｂ  孔
３０  固定部材
３１，３２  延長突出部
３１ａ，３２ａ  凹部
３３  空間
３４ａ、３４ｃ  貫通孔
３６  取付け部
４０  レンズホルダ
４１ａ、４１ｂ、４２ａ、４２ｂ  支持部
４３ａ、４３ｂ、４３ｃ、４３ｄ  端子棒
４４ａ、４４ｂ、４４ｃ、４４ｄ  導電性ワイヤ
４５  ピックアップレンズ
５１ａ、５１ｂ、５１ｃ、５１ｄ  半田塊
５２ａ、５２ｂ、５２ｃ、５２ｄ  半田塊
６０  シャーシ
６１、６２  起立板
６３、６４  磁石
６５、６６  側底部
６７ａ、６７ｂ、６７ｃ  ブラケット
７０  ピックアップユニット
８０  ホルダ部材
８１ａ、８１ｂ  調整ネジ
８２  板バネ片
８３  ネジ
８４  端子接合セット部
８４０  接合縁
８４１  第１セット面
８４２  押えバー（浮き上がり抑制部材）
８４３  貫通孔
８４４  ストッパ部（先端位置規制部材）
８４５ａ、８４５ｂ  支持突出部
８４６  第２セット面
８４６ａ  突起
８４７  引出し部
９０  メインＦＰＣ（第２の可撓性プリント基板）
９０ａ  第１端子部
９０ｂ  中間部
９０ｃ  回路形成部
９１  第２端子部
９１ａ  係止孔
９１１ａ、９１１ｂ  係止突起部
９２  第１素子装着部
９３  第２素子装着部
９４  第３素子装着部
９８  発光・受光素子
１００  光ピックアップ装置
１１０  ＦＰＣ押え部材
１１１  サイド押え部
１１２  板バネ部
１１３  保護部
１２０  カバー
【図１】
0004412553.tif 000002
【図２】
0004412553.tif 000003
【図３】
0004412553.tif 000004
【図４】
0004412553.tif 000005
【図５】
0004412553.tif 000006
【図６】
0004412553.tif 000007
【図７】
0004412553.tif 000008
【図８】
0004412553.tif 000009
【図９】
0004412553.tif 000010
【図１０】
0004412553.tif 000011
【図１１】
0004412553.tif 000012
【図１２】
0004412553.tif 000013
【図１３】
0004412553.tif 000014
【図１４】
0004412553.tif 000015
【図１５】
0004412553.tif 000016
【図１６】
0004412553.tif 000017
【図１７】
0004412553.tif 000018
【図１８】
0004412553.tif 000019
【図１９】
0004412553.tif 000020
【図２０】
0004412553.tif 000021
【図２１】
0004412553.tif 000022
【図２２】
0004412553.tif 000023
【図２３】
0004412553.tif 000024
【図２４】
0004412553.tif 000025
【図２５】
0004412553.tif 000026
【図２６】
0004412553.tif 000027